【手続補正書】
【提出日】平成17年9月9日(2005.9.9)
【手続補正１】
【補正対象書類名】特許請求の範囲
【補正対象項目名】全文
【補正方法】変更
【補正の内容】
【特許請求の範囲】
【請求項１】
印刷を開始するまえに認証処理が必要なセキュアプリントジョブと、印刷を開始するまえに認証処理を必要としない非セキュアプリントジョブを、受付可能な印刷装置であって、
印刷中断要因の発生により印刷動作が中断されたプリントジョブが、前記非セキュアプリントジョブではなく、前記セキュアプリントジョブである場合に、該ジョブの印刷中断要因が解除されても、該ジョブの印刷動作を前記印刷装置により自動的に再開させることは禁止する制御手段を有することを特徴とする印刷装置。
【請求項２】
印刷を開始するまえに認証処理が必要なセキュアプリントジョブと、印刷を開始するまえに認証処理を必要としない非セキュアプリントジョブを、受付可能な印刷装置であって、
印刷中断要因の発生により印刷動作が中断されたプリントジョブが、前記非セキュアプリントジョブではなく、前記セキュアプリントジョブである場合に、該ジョブの印刷中断要因解除後に該ジョブの為の認証処理がなされたうえで、該ジョブの印刷動作を前記印刷装置により再開させる制御手段を有することを特徴とする印刷装置。
【請求項３】
印刷を開始するまえに認証処理が必要なセキュアプリントジョブと、印刷を開始するまえに認証処理を必要としない非セキュアプリントジョブを、受付可能な印刷装置であって、
印刷中断要因の発生により印刷動作が中断されたプリントジョブが、前記非セキュアプリントジョブではなく、前記セキュアプリントジョブである場合に、該ジョブの印刷中断要因解除後に該ジョブの為の認証処理がなされたうえで、該ジョブの印刷動作を前記印刷装置により再開可能にするが、印刷中断要因の発生により印刷動作が中断されたプリントジョブが、前記セキュアプリントジョブではなく、前記非セキュアプリントジョブである場合に、該ジョブの印刷中断要因解除に応じて、該ジョブの印刷動作を前記印刷装置により自動的に再開可能にする制御手段を有することを特徴とする印刷装置。
【請求項４】
前記制御手段は、
暗号化されている前記セキュアプリントジョブの画像データを復号して印刷するよう前記印刷装置を制御し、
前記暗号化されているセキュアプリントジョブの印刷が前記印刷中断要因の発生により中断された場合、前記復号されたセキュアプリントジョブの画像データを暗号化して前記印刷装置の記憶手段に保持するよう前記印刷装置を制御し、
前記セキュアプリントジョブの印刷中断要因解除後に該ジョブの為の認証処理が行われたうえで、前記記憶手段の暗号化された前記セキュアプリントジョブの画像データを復号し、前記セキュアプリントジョブの印刷処理を再開すべく、前記印刷装置を制御することを特徴とする請求項１乃至３の何れかに記載の印刷装置。
【請求項５】
印刷を開始するまえに認証処理が必要なセキュアプリントジョブと、印刷を開始するまえに認証処理を必要としない非セキュアプリントジョブを、受付可能な印刷装置の為のジョブ処理方法であって、
印刷中断要因の発生により印刷動作が中断されたプリントジョブが、前記非セキュアプリントジョブではなく、前記セキュアプリントジョブである場合に、該ジョブの印刷中断要因が解除されても、該ジョブの印刷動作を前記印刷装置により自動的に再開させることを禁止することを特徴とするジョブ処理方法。
【請求項６】
印刷を開始するまえに認証処理が必要なセキュアプリントジョブと、印刷を開始するまえに認証処理を必要としない非セキュアプリントジョブを、受付可能な印刷装置の為のジョブ処理方法であって、
印刷中断要因の発生により印刷動作が中断されたプリントジョブが、前記非セキュアプリントジョブではなく、前記セキュアプリントジョブである場合に、該ジョブの印刷中断要因解除後に該ジョブの為の認証処理がなされたうえで、該ジョブの印刷動作を前記印刷装置により再開させることを特徴とするジョブ処理方法。
【請求項７】
印刷を開始するまえに認証処理が必要なセキュアプリントジョブと、印刷を開始するまえに認証処理を必要としない非セキュアプリントジョブを、受付可能な印刷装置の為のジョブ処理方法であって、
印刷中断要因の発生により印刷処理が中断されたプリントジョブが、前記非セキュアプリントジョブではなく、前記セキュアプリントジョブである場合に、該ジョブの印刷中断要因解除後に該ジョブの為の認証処理がなされたうえで、該ジョブの印刷処理を前記印刷装置により再開可能にするが、印刷中断要因の発生により印刷処理が中断されたプリントジョブが、前記セキュアプリントジョブではなく、前記非セキュアプリントジョブである場合に、該ジョブの印刷中断要因解除に応じて、該ジョブの印刷処理を前記印刷装置により自動的に再開可能にすることを特徴とするジョブ処理方法。
【請求項８】
印刷を開始する前に認証データの入力が必要なセキュアプリントジョブ及び認証データの入力無しに印刷を開始できる非セキュアプリントジョブを含む複数のプリントジョブを処理可能な印刷装置であって、
印刷中断要因の発生により印刷動作が中断されたプリントジョブが、前記セキュアプリントジョブの場合でも、前記非セキュアプリントジョブの場合でも、印刷中断要因の解除後に前記印刷装置にて印刷動作を再開可能にするが、印刷動作が中断されたプリントジョブが、前記非セキュアプリントジョブではなく、前記セキュアプリントジョブである場合に、該ジョブの印刷中断要因解除に応じて自動的に該ジョブの印刷動作を前記印刷装置により再開させる事は、禁止する制御手段を有することを特徴とする印刷装置。
【請求項９】
印刷処理を開始する前に認証処理を必要とするセキュアプリントジョブ及び印刷処理を開始する前に認証処理を必要としない非セキュアプリントジョブを含む複数のプリントジョブを処理可能な印刷装置であって、
印刷中断要因の発生により前記印刷装置による印刷処理が中断されたプリントジョブの印刷動作を前記印刷装置により再開させる場合において、該プリントジョブが、前記非セキュアプリントジョブではなく、前記セキュアプリントジョブである場合に、前記セキュアプリントジョブの印刷処理を開始する前に実行した認証処理を前記印刷中断要因の発生後に再度実行したうえで、当該プリントジョブの印刷処理を前記印刷装置により再開可能にし、一方、印刷中断要因の発生により前記印刷装置による印刷処理が中断されたプリントジョブが、前記セキュアプリントジョブではなく、前記非セキュアプリントジョブである場合に、前記印刷中断要因の発生後に前記認証処理を実行すること無く、当該プリントジョブの印刷処理を前記印刷装置により再開可能にする、制御手段を有することを特徴とする印刷装置。
【請求項１０】
印刷処理を開始する前に認証処理を必要とするセキュアプリントジョブ及び印刷処理を開始する前に認証処理を必要としない非セキュアプリントジョブを含む複数のプリントジョブを処理可能な印刷装置であって、
印刷中断要因の発生により印刷処理が中断されたプリントジョブが、セキュアプリントジョブであり、且つ、該セキュアプリントジョブの印刷処理を開始する前に実行した認証処理が、該ジョブの印刷中断要因の発生後に前記印刷装置にて再度実行された場合に、前記印刷装置により該プリントジョブの印刷動作を再開する事を許可し、
印刷中断要因の発生により印刷処理が中断されたプリントジョブが、セキュアプリントジョブであり、且つ、該セキュアプリントジョブの印刷処理を開始する前に実行した認証処理が、該ジョブの印刷中断要因の発生後に前記印刷装置にて再度実行されない場合に、前記印刷装置により該プリントジョブの印刷動作を再開する事を禁止するが、
印刷中断要因の発生により印刷処理が中断されたプリントジョブが、前記セキュアプリントジョブではなく、前記非セキュアプリントジョブである場合に、該ジョブの印刷中断要因の発生後に前記認証処理を実行すること無く、前記印刷装置により該プリントジョブの印刷処理を再開可能にする、制御手段を有することを特徴とする印刷装置。
【請求項１１】
印刷処理を開始する前に認証処理を必要とするセキュアプリントジョブ及び印刷処理を開始する前に認証処理を必要としない非セキュアプリントジョブを含む複数のプリントジョブを処理可能な印刷装置であって、
印刷中断要因の発生により印刷処理が中断されたプリントジョブが、セキュアプリントジョブであり、且つ、該セキュアプリントジョブの印刷処理を開始する前に実行した認証処理が、該ジョブの印刷中断要因の発生後に前記印刷装置にて再度実行された場合に、該プリントジョブの印刷動作を前記印刷装置にて再開させる事を許可し、
印刷中断要因の発生により印刷処理が中断されたプリントジョブが、セキュアプリントジョブであり、且つ、該セキュアプリントジョブの印刷処理を開始する前に実行した認証処理が、該ジョブの印刷中断要因の発生後に前記印刷装置にて再度実行されない場合に、該プリントジョブの印刷動作を前記印刷装置にて再開させる事を禁止するが、
印刷中断要因の発生により印刷処理が中断されたプリントジョブが、前記セキュアプリントジョブではなく、前記非セキュアプリントジョブである場合に、該ジョブの印刷中断要因の発生後に前記認証処理を実行すること無く、該プリントジョブの印刷処理を前記印刷装置により再開可能にする、制御手段を有し、
前記制御手段は、
前記セキュアプリントジョブの印刷中断要因の解除のタイミングから所定期間経過するまでの期間内において、前記セキュアプリントジョブの印刷処理を開始する前に実行した認証処理が前記印刷装置にて再実行されない場合に、前記セキュアプリントジョブの印刷処理の再開を実行しない代わりに、当該セキュアプリントジョブ以外の他の印刷待ち状態のプリントジョブのプリント処理を、自動的に、開始可能にすること特徴とする印刷装置。
【請求項１２】
印刷処理を開始する前に認証処理を必要とするセキュアプリントジョブ及び印刷処理を開始する前に認証処理を必要としない非セキュアプリントジョブを含む複数のプリントジョブを処理可能な印刷装置であって、
印刷中断要因の発生により印刷処理が中断されたプリントジョブが、セキュアプリントジョブであり、且つ、該セキュアプリントジョブの印刷処理を開始する前に実行した認証処理が、該ジョブの印刷中断要因の発生後に前記印刷装置にて再度実行された場合に、前記印刷装置により該プリントジョブの印刷動作を再開する事を許可し、
印刷中断要因の発生により印刷処理が中断されたプリントジョブが、セキュアプリントジョブであり、且つ、該セキュアプリントジョブの印刷処理を開始する前に実行した認証処理が、該ジョブの印刷中断要因の発生後に前記印刷装置にて再度実行されない場合に、前記印刷装置により該プリントジョブの印刷動作を再開する事を禁止するが、
印刷中断要因の発生により印刷処理が中断されたプリントジョブが、前記セキュアプリントジョブではなく、前記非セキュアプリントジョブである場合に、該ジョブの印刷中断要因の発生後に前記認証処理を実行すること無く、前記印刷装置により該プリントジョブの印刷処理を再開可能にする、制御手段を有し、
前記制御手段は、
前記セキュアプリントジョブの印刷中断要因の解除のタイミングから所定期間経過するまでの期間内において、前記セキュアプリントジョブの印刷処理を開始する前に実行した認証処理が前記印刷装置にて再実行されない場合に、当該セキュアプリントジョブの印刷処理の再開を禁止した状態のままで、当該セキュアプリントジョブのプリントデータを、前記印刷装置の記憶手段に保持可能にすることを特徴とする印刷装置。
【請求項１３】
印刷処理を開始する前に認証処理を必要とするセキュアプリントジョブ及び印刷処理を開始する前に認証処理を必要としない非セキュアプリントジョブを含む複数のプリントジョブを処理可能な印刷装置であって、
印刷中断要因の発生により印刷処理が中断されたプリントジョブが、セキュアプリントジョブであり、且つ、該セキュアプリントジョブの印刷処理を開始する前に実行した認証処理が、該ジョブの印刷中断要因の発生後に前記印刷装置にて再度実行された場合に、該プリントジョブの印刷動作を前記印刷装置にて再開させる事を許可し、
印刷中断要因の発生により印刷処理が中断されたプリントジョブが、セキュアプリントジョブであり、且つ、該セキュアプリントジョブの印刷処理を開始する前に実行した認証処理が、該ジョブの印刷中断要因の発生後に前記印刷装置にて再度実行されない場合に、該プリントジョブの印刷動作を前記印刷装置にて再開させる事を禁止するが、
印刷中断要因の発生により印刷処理が中断されたプリントジョブが、前記セキュアプリントジョブではなく、前記非セキュアプリントジョブである場合に、該ジョブの印刷中断要因の発生後に前記認証処理を実行すること無く、該プリントジョブの印刷処理を前記印刷装置により再開可能にする、制御手段を有し、
前記制御手段は、
前記セキュアプリントジョブの印刷処理を開始する前に実行した認証処理が前記セキュアプリントジョブの印刷中断要因の解除後に前記印刷装置にて再実行されない場合に、前記セキュアプリントジョブの印刷処理の再開を禁止するが、前記印刷装置の操作部からのユーザの指示に基づいて、当該セキュアプリントジョブ以外の他の印刷待ち状態の印刷ジョブのプリント処理を開始可能にすることを特徴とする印刷装置。
【請求項１４】
印刷処理を開始する前に認証処理を必要とするセキュアプリントジョブ及び印刷処理を開始する前に認証処理を必要としない非セキュアプリントジョブを含む複数のプリントジョブを処理可能な印刷装置であって、
印刷中断要因の発生により印刷処理が中断されたプリントジョブが、セキュアプリントジョブであり、且つ、該セキュアプリントジョブの印刷処理を開始する前に実行した認証処理が、該ジョブの印刷中断要因の発生後に前記印刷装置にて再度実行された場合に、該プリントジョブの印刷動作を前記印刷装置にて再開させる事を許可し、
印刷中断要因の発生により印刷処理が中断されたプリントジョブが、セキュアプリントジョブであり、且つ、該セキュアプリントジョブの印刷処理を開始する前に実行した認証処理が、該ジョブの印刷中断要因の発生後に前記印刷装置にて再度実行されない場合に、該プリントジョブの印刷動作を前記印刷装置にて再開させる事を禁止するが、
印刷中断要因の発生により前記印刷装置による印刷処理が中断されたプリントジョブが、前記セキュアプリントジョブではなく、前記非セキュアプリントジョブである場合に、該ジョブの印刷中断要因の発生後に前記認証処理を実行すること無く、該プリントジョブの印刷処理を前記印刷装置により再開可能にする、制御手段を有し、
前記制御手段は、
前記セキュアプリントジョブの印刷処理を開始する前に実行した認証処理が前記セキュアプリントジョブの印刷中断要因の解除後に前記印刷装置にて再実行されない場合に、前記印刷装置の操作部からのユーザの指示に基づいて、当該セキュアプリントジョブの印刷再開を禁止した状態のままで、当該セキュアプリントジョブのプリントデータを、前記印刷装置の記憶手段に保持可能にすることを特徴とする印刷装置。
【請求項１５】
前記制御手段は、
前記セキュアプリントジョブの印刷処理を前記印刷装置に開始させる前に前記印刷装置により実行させる認証処理において、前記セキュアプリントジョブの為の認証データが前記印刷装置におけるユーザ操作を介して入力されなかった場合に、前記印刷装置による前記セキュアプリントジョブの印刷処理の開始を禁止し、
前記セキュアプリントジョブの印刷処理を前記印刷装置に開始させる前に前記印刷装置により実行させる認証処理において、前記セキュアプリントジョブの為の認証データが前記印刷装置におけるユーザ操作を介して入力された場合に、前記印刷装置による前記セキュアプリントジョブの印刷処理の開始を許可することを特徴とする請求項１乃至３および８乃至１４の何れかに記載の印刷装置。
【請求項１６】
前記制御手段は、前記セキュアプリントジョブの印刷処理の開始を禁止する期間において前記セキュアプリントジョブの画像データを前記印刷装置の記憶手段に保持させておき、前記セキュアプリントジョブの為の認証データが前記印刷装置におけるユーザ操作を介して入力されたタイミングにおいて、前記記憶手段の前記セキュアジョブの画像データを用いて前記印刷装置によりプリント処理を開始可能にすることを特徴とする請求項１５記載の印刷装置。
【請求項１７】
前記制御手段は、
前記セキュアプリントジョブの印刷処理の開始を禁止する期間において前記セキュアプリントジョブの画像データを、暗号化した状態で、前記印刷装置の記憶手段に保持させておき、前記セキュアプリントジョブの為の認証データが前記印刷装置におけるユーザ操作を介して入力されたタイミングにおいて、前記記憶手段の前記暗号化処理済みの前記セキュアジョブの画像データを復号化し、該復号化した状態の前記セキュアプリントジョブの画像データのプリント処理を前記印刷装置により実行させることを特徴とする請求項１５又は１６記載の印刷装置。
【請求項１８】
前記制御手段は、
前記印刷中断対象のセキュアプリントジョブの印刷処理を前記印刷装置により再開させる前に前記印刷装置により再実行させる前記認証処理において、前記セキュアプリントジョブの為の認証データが前記印刷装置におけるユーザ操作を介して再入力されなかった場合に、前記印刷装置による前記印刷中断対象のセキュアプリントジョブの印刷処理の再開を禁止し、
前記印刷処理が中断したセキュアプリントジョブの印刷処理を前記印刷装置により再開させる前に前記印刷装置により再実行させる前記認証処理において、前記セキュアプリントジョブの為の認証データが前記印刷装置におけるユーザ操作を介して再入力された場合に、前記印刷装置による前記印刷中断対象のセキュアプリントジョブの印刷処理の再開を許可することを特徴とする請求項１５乃至１７の何れかに記載の印刷装置。
【請求項１９】
前記制御手段は、
前記印刷中断対象のセキュアプリントジョブの印刷処理の再開を禁止する期間において、前記セキュアプリントジョブの画像データを前記印刷装置の記憶手段に保持させておき、前記セキュアプリントジョブの為の認証データが前記印刷装置におけるユーザ操作を介して再入力されたタイミングにおいて、前記記憶手段の前記セキュアプリントジョブの画像データを用いて前記セキュアプリントジョブのプリント処理を前記印刷装置により再開可能にすることを特徴とする請求項１８記載の印刷装置。
【請求項２０】
前記制御手段は、
前記印刷中断対象のセキュアプリントジョブの印刷処理の再開を禁止する期間において前記セキュアプリントジョブの画像データを暗号化した状態で前記印刷装置の記憶手段に保持させておき、前記セキュアプリントジョブの為の認証データが前記印刷装置におけるユーザ操作を介して再入力されたタイミングにおいて、前記記憶手段の前記セキュアジョブの画像データを復号化し、該復号化した状態の前記セキュアプリントジョブの画像データ用いて前記セキュアプリントジョブのプリント処理を前記印刷装置により再開可能にすることを特徴とする請求項１８又は１９記載の印刷装置。
【請求項２１】
前記セキュアプリントジョブは、前記印刷装置にてプリント可能なプリントジョブを格納可能な記憶手段にプリントデータを記憶させ且つ前記印刷装置におけるユーザによる認証データの入力操作がなされたうえで前記記憶手段から該プリントデータを読み出して前記印刷装置により印刷させる動作モードのプリントジョブであり、
前記非セキュアプリントジョブは、前記印刷装置におけるユーザによる認証データの入力操作無しに前記記憶手段からプリントデータを読み出して前記印刷装置で印刷可能にする動作モードのプリントジョブであり、
前記制御手段は、
印刷中断要因の発生により前記印刷装置による印刷処理が中断されたプリントジョブの印刷処理を前記印刷装置により再開する場合において、該プリントジョブが、前記非セキュアプリントジョブではなく、前記セキュアプリントジョブである場合に、印刷処理を開始する前に該セキュアプリントジョブの為に前記印刷装置にて入力操作がなされた認証データが前記印刷中断要因の解除後に前記印刷装置にて再入力されたうえで、当該プリントジョブの印刷処理を再開可能し、
印刷中断要因の発生により前記印刷装置による印刷処理が中断されたプリントジョブが、前記セキュアプリントジョブではなく、前記非セキュアプリントジョブである場合に、前記印刷中断要因の解除後に前記印刷装置にて前記認証データの入力操作を行う事無く、当該プリントジョブの印刷処理を再開可能にする、ことを特徴とする請求項１乃至３および８乃至２０の何れかに記載の印刷装置。
【請求項２２】
前記セキュアプリントジョブの認証データの設定を、前記印刷装置の操作部を介して、予めユーザにより実行可能にし、前記セキュアジョブの印刷を開始する前に前記認証データの入力を前記印刷装置の操作部を介して実行させ、印刷動作が中断した前記セキュアジョブの印刷を再開させる前に前記印刷装置の操作部を介して前記認証データを再入力させることを特徴とする請求項１乃至３および８乃至２１の何れかに記載の印刷装置。
【請求項２３】
前記印刷装置は、前記印刷装置とは異なる当該セキュアプリントジョブのデータ送信源の外部装置の操作部を介してユーザにより予め認証データが設定された前記セキュアプリントジョブを受付け可能であり、
前記制御手段は、
前記セキュアジョブの印刷を開始する前に前記認証データの入力を前記印刷装置の操作部を介して実行させ、
印刷動作が中断した前記セキュアジョブの印刷を再開させる前に前記印刷装置の操作部を介して前記認証データを再入力させることを特徴とする請求項１乃至３および９乃至２２の何れかに記載の印刷装置。
【請求項２４】
記録紙、及び、ステイプル針、トナーの少なくとも何れかを含む複数種類の消耗材のうちの少なくとも何れかの消耗材が印刷装置にて無くなった場合、及び、記録用紙の紙詰まり及びステイプラの針詰まり及び記憶手段のメモリフル及びスキャナユニットによる原稿ジャムの少なくとも何れかを含む前記印刷装置におけるエラー状態が発生した場合、及び、印刷装置により印刷処理中のプリントジョブに対する印刷処理の中断指示がユーザ操作により入力された場合、のうちの、少なくとも何れかの場合に、印刷中断要因の発生として、プリントジョブの印刷処理を中断させる、ことを特徴とする請求項１乃至４および８乃至２３の何れかに記載の印刷装置。
【請求項２５】
前記制御手段は、
印刷中断要因の発生により前記印刷装置による印刷処理が中断されたプリントジョブが前記セキュアプリントジョブである場合において、前記セキュアプリントジョブの印刷処理を開始する前に前記印刷装置にてユーザ操作により入力された認証データが前記印刷中断要因の発生後に前記印刷装置にて再入力されない場合に、当該プリントジョブの印刷処理の再開を禁止し、
印刷中断要因の発生により前記印刷装置による印刷処理が中断されたプリントジョブが前記セキュアプリントジョブである場合において、前記セキュアプリントジョブの印刷処理を開始する前に前記印刷装置にてユーザ操作により入力された認証データが前記印刷中断要因の発生後に前記印刷装置にて再入力された場合に、当該プリントジョブの印刷処理の再開を許可し、
印刷中断要因の発生により前記印刷装置による印刷処理が中断されたプリントジョブが、前記セキュアプリントジョブではなく、前記非セキュアプリントジョブである場合に、前記印刷中断要因の発生後に前記認証データの入力操作を行うこと無く、当該プリントジョブの印刷処理を再開可能にすることを特徴とする請求項１乃至３および８乃至２４の何れかに記載の印刷装置。
【請求項２６】
前記制御手段は、前記セキュアプリントジョブの印刷処理の再開を禁止している状態において、当該セキュアプリントジョブ以外の他の印刷待ち状態のプリントジョブを前記印刷装置によりプリント可能にすることを特徴とする請求項２５記載の印刷装置。
【請求項２７】
前記制御手段は、
前記セキュアプリントジョブの印刷処理を開始する前に前記セキュアプリントジョブの為に前記印刷装置にて入力された認証データが前記印刷処理の中断後に前記印刷装置にて再入力されない場合には、たとえ当該セキュアプリントジョブの印刷中断要因が解除されたとしても、当該セキュアプリントジョブの印刷処理の再開を禁止し、
印刷中断要因の発生により前記印刷装置による印刷処理が中断されたプリントジョブが、前記セキュアプリントジョブではなく、前記非セキュアプリントジョブである場合には、当該非セキュアプリントジョブの印刷中断要因が解除されたことに応じて、自動的に当該非セキュアプリントジョブの印刷処理を再開可能にすることを特徴とする請求項２５又は２６記載の印刷装置。
【請求項２８】
前記制御手段は、
前記セキュアプリントジョブの印刷処理を開始する前に前記セキュアプリントジョブの為に前記印刷装置にて入力操作がなされた認証データが前記印刷中断要因の解除後に前記印刷装置にて再入力されない場合に、当該セキュアプリントジョブの印刷処理の再開を禁止し、且つ、当該セキュアプリントジョブのプリントデータを、記憶ユニットに保持させることを特徴とする請求項１乃至３および８乃至２７の何れかに記載の印刷装置。
【請求項２９】
前記制御手段は、
前記セキュアプリントジョブの印刷処理を開始する前に前記セキュアプリントジョブの為に前記印刷装置にて入力操作がなされた認証データが前記印刷中断要因の解除後に前記印刷装置にて再入力されない場合に、当該セキュアプリントジョブの印刷処理の再開を禁止し、且つ、当該セキュアプリントジョブ以外の印刷ジョブのプリント処理を実行可能にすることを特徴とする請求項１乃至３および８乃至２８の何れかに記載の印刷装置。
【請求項３０】
前記印刷装置により前記セキュアプリントジョブの受付後のタイミングから前記セキュアプリントジョブの印刷開始前のタイミングまでの期間を含む第１期間、及び、前記セキュアプリントジョブの印刷開始後のタイミングから前記セキュアプリントジョブの印刷中断前のタイミングまでの期間を含む第２期間、及び、前記セキュアプリントジョブの印刷中断後のタイミングから前記セキュアプリントジョブの印刷中断要因解除前のタイミングまでの期間を含む第３期間、及び、前記セキュアプリントジョブの印刷中断要因解除後のタイミングから前記セキュアプリントジョブの印刷処理の再開前のタイミングまでの期間を含む第４期間、及び、前記セキュアプリントジョブの印刷処理が完了した後の第５期間、のうちの、２つ以上の期間において、前記セキュアプリントジョブ以外のプリントジョブを前記印刷装置により受付け可能にすることを特徴とする請求項１乃至３および８乃至２９の何れかに記載の印刷装置。
【請求項３１】
前記制御手段は、
前記第１期間において、前記セキュアプリントジョブの印刷開始を禁止した状態で、当該セキュアプリントジョブ以外の他のプリントジョブを前記印刷装置により印刷可能にすることを特徴とする請求項３０に記載の印刷装置。
【請求項３２】
前記制御手段は、
前記第３期間において、前記セキュアプリントジョブの印刷再開が禁止された状態で、当該セキュアプリントジョブ以外の他の印刷待ち状態のプリントジョブの印刷処理を開始することを、所定の条件下で許可することを特徴とする請求項３０又は３１記載の印刷装置。
【請求項３３】
前記制御手段は、
前記第３期間において、前記セキュアプリントジョブの印刷再開が禁止された状態で、当該セキュアプリントジョブの印刷中断要因に影響のない印刷条件が設定されている他の印刷待ち状態のプリントジョブの印刷処理を開始可能にすることを特徴とする請求項３０乃至３２の何れかに記載の印刷装置。
【請求項３４】
前記制御手段は、
前記第４期間において、前記セキュアプリントジョブの印刷再開が禁止された状態で、当該セキュアプリントジョブの印刷中断要因に関係なく、当該セキュアプリントジョブ以外の他の印刷待ち状態のプリントジョブの印刷処理を開始可能にすることを特徴とする請求項３０乃至３３の何れかに記載の印刷装置。
【請求項３５】
前記制御手段は、
前記第５期間において、前記セキュアプリントジョブ以外の他の印刷待ち状態のプリントジョブの印刷処理を自動的に開始可能にすることを特徴とする請求項３０乃至３４の何れかに記載の印刷装置。
【請求項３６】
前記印刷装置は、コピー機能及びプリント機能の少なくとも何れかの含む複数の機能のうちの、いずれか１つの機能のみを有する単一機能の印刷装置、及び／又は、複数の機能を有する複合機能の印刷装置を含むことを特徴とする請求項１乃至４および８乃至３５の何れかに記載の印刷装置。
【請求項３７】
前記印刷装置は、スキャナユニット及びコンピュータを含む、複数のジョブデータ発生源のうちの少なくとも何れかのジョブデータ発生源から前記セキュアプリントジョブと前記非セキュアプリントジョブを受付可能にすることを特徴とする請求項１乃至４および８乃至３６の何れかに記載の印刷装置。
【請求項３８】
印刷を開始する前に認証データの入力が必要なセキュアプリントジョブ及び認証データの入力無しに印刷を開始できる非セキュアプリントジョブを含む複数のプリントジョブを処理可能な印刷装置に適したジョブ処理方法であって、
印刷中断要因の発生により印刷動作が中断されたプリントジョブが、前記セキュアプリントジョブの場合でも、前記非セキュアプリントジョブの場合でも、印刷中断要因の解除後に前記印刷装置にて印刷動作を再開可能にするが、印刷動作が中断されたプリントジョブが、前記非セキュアプリントジョブではなく、前記セキュアプリントジョブである場合に、該ジョブの印刷中断要因解除に応じて自動的に該ジョブの印刷動作を前記印刷装置により再開させる事は、禁止することを特徴とするジョブ処理方法。
【請求項３９】
印刷処理を開始する前に認証処理を必要とするセキュアプリントジョブ及び印刷処理を開始する前に認証処理を必要としない非セキュアプリントジョブを含む複数のプリントジョブを処理可能な印刷装置に適したジョブ処理方法であって、
印刷中断要因の発生により印刷処理が中断されたプリントジョブの印刷動作を前記印刷装置により再開させる場合において、該プリントジョブが、前記非セキュアプリントジョブではなく、前記セキュアプリントジョブである場合に、前記セキュアプリントジョブの印刷処理を開始する前に実行した認証処理を前記印刷中断要因の発生後に再度実行したうえで、当該プリントジョブの印刷処理を前記印刷装置により再開可能にし、一方、印刷中断要因の発生により印刷処理が中断されたプリントジョブが、前記セキュアプリントジョブではなく、前記非セキュアプリントジョブである場合に、前記印刷中断要因の発生後に前記認証処理を実行すること無く、当該プリントジョブの印刷処理を前記印刷装置により再開可能にすることを特徴とするジョブ処理方法。
【請求項４０】
印刷処理を開始する前に認証処理を必要とするセキュアプリントジョブ及び印刷処理を開始する前に認証処理を必要としない非セキュアプリントジョブを含む複数のプリントジョブを処理可能な印刷装置に適したジョブ処理方法であって、
印刷中断要因の発生により印刷処理が中断されたプリントジョブがセキュアプリントジョブであり、且つ、該セキュアプリントジョブの印刷処理を開始する前に実行した認証処理が該ジョブの印刷中断要因の発生後に前記印刷装置にて再度実行された場合に、前記印刷装置により該プリントジョブの印刷動作を再開する事を許可し、
印刷中断要因の発生により印刷処理が中断されたプリントジョブがセキュアプリントジョブであり、且つ、該セキュアプリントジョブの印刷処理を開始する前に実行した認証処理が該ジョブの印刷中断要因の発生後に前記印刷装置にて再度実行されない場合に、前記印刷装置により該プリントジョブの印刷動作を再開する事を禁止するが、
印刷中断要因の発生により印刷処理が中断されたプリントジョブが、前記セキュアプリントジョブではなく、前記非セキュアプリントジョブである場合に、該ジョブの印刷中断要因の発生後に前記認証処理を実行すること無く、前記印刷装置により該プリントジョブの印刷処理を再開可能にする、ことを特徴とするジョブ処理方法。
【請求項４１】
印刷処理を開始する前に認証処理を必要とするセキュアプリントジョブ及び印刷処理を開始する前に認証処理を必要としない非セキュアプリントジョブを含む複数のプリントジョブを処理可能な印刷装置に適したジョブ処理方法であって、
印刷中断要因の発生により印刷処理が中断されたプリントジョブがセキュアプリントジョブであり、且つ、該セキュアプリントジョブの印刷処理を開始する前に実行した認証処理が該ジョブの印刷中断要因の発生後に前記印刷装置にて再度実行された場合に、該プリントジョブの印刷動作を前記印刷装置にて再開させる事を許可し、
印刷中断要因の発生により印刷処理が中断されたプリントジョブがセキュアプリントジョブであり、且つ、該セキュアプリントジョブの印刷処理を開始する前に実行した認証処理が該ジョブの印刷中断要因の発生後に前記印刷装置にて再度実行されない場合に、該プリントジョブの印刷動作を前記印刷装置にて再開させる事を禁止するが、
印刷中断要因の発生により印刷処理が中断されたプリントジョブが、前記セキュアプリントジョブではなく、前記非セキュアプリントジョブである場合に、該ジョブの印刷中断要因の発生後に前記認証処理を実行すること無く、該プリントジョブの印刷処理を前記印刷装置により再開可能にし、
前記セキュアプリントジョブの印刷中断要因の解除のタイミングから所定期間経過するまでの期間内において、前記セキュアプリントジョブの印刷処理を開始する前に実行した認証処理が前記印刷装置にて再実行されない場合に、前記セキュアプリントジョブの印刷処理の再開を実行しない代わりに、当該セキュアプリントジョブ以外の他の印刷待ち状態のプリントジョブのプリント処理を、自動的に、開始可能にする、こと特徴とするジョブ処理方法。
【請求項４２】
印刷処理を開始する前に認証処理を必要とするセキュアプリントジョブ及び印刷処理を開始する前に認証処理を必要としない非セキュアプリントジョブを含む複数のプリントジョブを処理可能な印刷装置に適したジョブ処理方法であって、
印刷中断要因の発生により印刷処理が中断されたプリントジョブがセキュアプリントジョブであり、且つ、該セキュアプリントジョブの印刷処理を開始する前に実行した認証処理が該ジョブの印刷中断要因の発生後に前記印刷装置にて再度実行された場合に、前記印刷装置により該プリントジョブの印刷動作を再開する事を許可し、
印刷中断要因の発生により印刷処理が中断されたプリントジョブがセキュアプリントジョブであり、且つ、該セキュアプリントジョブの印刷処理を開始する前に実行した認証処理が該ジョブの印刷中断要因の発生後に前記印刷装置にて再度実行されない場合に、前記印刷装置により該プリントジョブの印刷動作を再開する事を禁止するが、
印刷中断要因の発生により印刷処理が中断されたプリントジョブが、前記セキュアプリントジョブではなく、前記非セキュアプリントジョブである場合に、該ジョブの印刷中断要因の発生後に前記認証処理を実行すること無く、前記印刷装置により該プリントジョブの印刷処理を再開可能にし、
前記セキュアプリントジョブの印刷中断要因の解除のタイミングから所定期間経過するまでの期間内において、前記セキュアプリントジョブの印刷処理を開始する前に実行した認証処理が前記印刷装置にて再実行されない場合に、当該セキュアプリントジョブの印刷処理の再開を禁止した状態のままで、当該セキュアプリントジョブのプリントデータを、前記印刷装置の記憶手段に保持可能にする、ことを特徴とするジョブ処理方法。
【請求項４３】
印刷処理を開始する前に認証処理を必要とするセキュアプリントジョブ及び印刷処理を開始する前に認証処理を必要としない非セキュアプリントジョブを含む複数のプリントジョブを処理可能な印刷装置に適したジョブ処理方法あって、
印刷中断要因の発生により印刷処理が中断されたプリントジョブがセキュアプリントジョブであり、且つ、該セキュアプリントジョブの印刷処理を開始する前に実行した認証処理が該ジョブの印刷中断要因の発生後に前記印刷装置にて再度実行された場合に、該プリントジョブの印刷動作を前記印刷装置にて再開させる事を許可し、
印刷中断要因の発生により印刷処理が中断されたプリントジョブがセキュアプリントジョブであり、且つ、該セキュアプリントジョブの印刷処理を開始する前に実行した認証処理が該ジョブの印刷中断要因の発生後に前記印刷装置にて再度実行されない場合に、該プリントジョブの印刷動作を前記印刷装置にて再開させる事を禁止するが、
印刷中断要因の発生により印刷処理が中断されたプリントジョブが、前記セキュアプリントジョブではなく、前記非セキュアプリントジョブである場合に、該ジョブの印刷中断要因の発生後に前記認証処理を実行すること無く、該プリントジョブの印刷処理を前記印刷装置により再開可能にし、
前記セキュアプリントジョブの印刷処理を開始する前に実行した認証処理が前記セキュアプリントジョブの印刷中断要因の解除後に前記印刷装置にて再実行されない場合に、前記セキュアプリントジョブの印刷処理の再開を禁止するが、前記印刷装置の操作部からのユーザの指示に基づいて、当該セキュアプリントジョブ以外の他の印刷待ち状態の印刷ジョブのプリント処理を開始可能にすることを特徴とするジョブ処理方法。
【請求項４４】
印刷処理を開始する前に認証処理を必要とするセキュアプリントジョブ及び印刷処理を開始する前に認証処理を必要としない非セキュアプリントジョブを含む複数のプリントジョブを処理可能な印刷装置に適したジョブ処理方法であって、
印刷中断要因の発生により印刷処理が中断されたプリントジョブがセキュアプリントジョブであり、且つ、該セキュアプリントジョブの印刷処理を開始する前に実行した認証処理が該ジョブの印刷中断要因の発生後に前記印刷装置にて再度実行された場合に、該プリントジョブの印刷動作を前記印刷装置にて再開させる事を許可し、
印刷中断要因の発生により印刷処理が中断されたプリントジョブがセキュアプリントジョブであり、且つ、該セキュアプリントジョブの印刷処理を開始する前に実行した認証処理が該ジョブの印刷中断要因の発生後に前記印刷装置にて再度実行されない場合に、該プリントジョブの印刷動作を前記印刷装置にて再開させる事を禁止するが、
印刷中断要因の発生により印刷処理が中断されたプリントジョブが、前記セキュアプリントジョブではなく、前記非セキュアプリントジョブである場合に、該ジョブの印刷中断要因の発生後に前記認証処理を実行すること無く、該プリントジョブの印刷処理を前記印刷装置により再開可能にし、
前記セキュアプリントジョブの印刷処理を開始する前に実行した認証処理が前記セキュアプリントジョブの印刷中断要因の解除後に前記印刷装置にて再実行されない場合に、前記印刷装置の操作部からのユーザの指示に基づいて、当該セキュアプリントジョブの印刷再開を禁止した状態のままで、当該セキュアプリントジョブのプリントデータを、前記印刷装置の記憶手段に保持可能にすることを特徴とするジョブ処理方法。
【請求項４５】
前記ジョブ処理方法は、
前記セキュアプリントジョブの印刷処理を前記印刷装置に開始させる前に前記印刷装置により実行させる認証処理において、前記セキュアプリントジョブの為の認証データが前記印刷装置におけるユーザ操作を介して入力されなかった場合に、前記印刷装置による前記セキュアプリントジョブの印刷処理の開始を禁止し、
前記セキュアプリントジョブの印刷処理を前記印刷装置に開始させる前に前記印刷装置により実行させる認証処理において、前記セキュアプリントジョブの為の認証データが前記印刷装置におけるユーザ操作を介して入力された場合に、前記印刷装置による前記セキュアプリントジョブの印刷処理の開始を許可することを特徴とする請求項５乃至７および３８乃至４４の何れかに記載のジョブ処理方法。
【請求項４６】
前記ジョブ処理方法は、
前記セキュアプリントジョブの印刷処理の開始を禁止する期間において前記セキュアプリントジョブの画像データを前記印刷装置の記憶手段に保持させておき、前記セキュアプリントジョブの為の認証データが前記印刷装置におけるユーザ操作を介して入力されたタイミングにおいて、前記記憶手段の前記セキュアジョブの画像データを用いて前記印刷装置によりプリント処理を開始可能にすることを特徴とする請求項４５記載のジョブ処理方法。
【請求項４７】
前記ジョブ処理方法は、
前記セキュアプリントジョブの印刷処理の開始を禁止する期間において前記セキュアプリントジョブの画像データを、暗号化した状態で、前記印刷装置の記憶手段に保持させておき、前記セキュアプリントジョブの為の認証データが前記印刷装置におけるユーザ操作を介して入力されたタイミングにおいて、前記記憶手段の前記暗号化処理済みの前記セキュアジョブの画像データを復号化し、該復号化した状態の前記セキュアプリントジョブの画像データのプリント処理を前記印刷装置により実行させることを特徴とする請求項４５又は４６記載のジョブ処理方法。
【請求項４８】
前記ジョブ処理方法は、
前記印刷中断対象のセキュアプリントジョブの印刷処理を前記印刷装置により再開させる前に前記印刷装置により再実行させる前記認証処理において、前記セキュアプリントジョブの為の認証データが前記印刷装置におけるユーザ操作を介して再入力されなかった場合に、前記印刷装置による前記印刷中断対象のセキュアプリントジョブの印刷処理の再開を禁止し、
前記印刷処理が中断したセキュアプリントジョブの印刷処理を前記印刷装置により再開させる前に前記印刷装置により再実行させる前記認証処理において、前記セキュアプリントジョブの為の認証データが前記印刷装置におけるユーザ操作を介して再入力された場合に、前記印刷装置による前記印刷中断対象のセキュアプリントジョブの印刷処理の再開を許可することを特徴とする請求項４５乃至４７の何れかに記載のジョブ処理方法。
【請求項４９】
前記ジョブ処理方法は、
前記印刷中断対象のセキュアプリントジョブの印刷処理の再開を禁止する期間において、前記セキュアプリントジョブの画像データを前記印刷装置の記憶手段に保持させておき、前記セキュアプリントジョブの為の認証データが前記印刷装置におけるユーザ操作を介して再入力されたタイミングにおいて、前記記憶手段の前記セキュアプリントジョブの画像データを用いて前記セキュアプリントジョブのプリント処理を前記印刷装置により再開可能にすることを特徴とする請求項４８記載のジョブ処理方法。
【請求項５０】
前記ジョブ処理方法は、
前記印刷中断対象のセキュアプリントジョブの印刷処理の再開を禁止する期間において前記セキュアプリントジョブの画像データを暗号化した状態で前記印刷装置の記憶ユニットに保持させておき、前記セキュアプリントジョブの為の認証データが前記印刷装置におけるユーザ操作を介して再入力されたタイミングにおいて、前記記憶ユニットの前記セキュアジョブの画像データを復号化し、該復号化した状態の前記セキュアプリントジョブの画像データ用いて前記セキュアプリントジョブのプリント処理を前記印刷装置により再開可能にすることを特徴とする請求項４８又は４９記載のジョブ処理方法。
【請求項５１】
前記セキュアプリントジョブは、前記印刷装置にてプリント可能なプリントジョブを格納可能な記憶手段にプリントデータを記憶させ且つ前記印刷装置におけるユーザによる認証データの入力操作がなされたうえで前記記憶手段から該プリントデータを読み出して前記印刷装置により印刷させる動作モードのプリントジョブであり、
前記非セキュアプリントジョブは、前記印刷装置におけるユーザによる認証データの入力操作無しに前記記憶手段からプリントデータを読み出して前記印刷装置で印刷可能にする動作モードのプリントジョブであり、
前記ジョブ処理方法は、
印刷中断要因の発生により前記印刷装置による印刷処理が中断されたプリントジョブの印刷処理を前記印刷装置により再開する場合において当該プリントジョブが前記セキュアプリントジョブである場合に、印刷処理を開始する前に前記セキュアプリントジョブの為に前記印刷装置にて入力操作がなされた認証データが前記印刷中断要因の解除後に前記印刷装置にて再入力されたうえで、当該プリントジョブの印刷処理を再開可能し、
印刷中断要因の発生により前記印刷装置による印刷処理が中断されたプリントジョブの印刷処理を前記印刷装置により再開する場合において当該プリントジョブが前記非セキュアプリントジョブである場合に、前記印刷中断要因の解除後に前記印刷装置にて前記認証データの入力操作を行う事無く、当該プリントジョブの印刷処理を再開可能にすることを特徴とする請求項５乃至７および３８乃至５０の何れかに記載のジョブ処理方法。
【請求項５２】
前記ジョブ処理方法は、前記セキュアプリントジョブの認証データの設定を、前記印刷装置の操作部を介して、予めユーザにより実行可能にし、前記セキュアジョブの印刷を開始する前に前記認証データの入力を前記印刷装置の操作部を介して実行させ、印刷動作が中断した前記セキュアジョブの印刷を再開させる前に前記印刷装置の操作部を介して前記認証データを再入力させることを特徴とする請求項５乃至７および３８乃至５１の何れかに記載のジョブ処理方法。
【請求項５３】
前記印刷装置は、前記印刷装置とは異なる当該セキュアプリントジョブのデータ送信源の外部装置の操作部を介してユーザにより予め認証データが設定された前記セキュアプリントジョブを受付け可能であり、
前記ジョブ処理方法は、
前記セキュアジョブの印刷を開始する前に前記認証データの入力を前記印刷装置の操作部を介して実行させ、
印刷動作が中断した前記セキュアジョブの印刷を再開させる前に前記印刷装置の操作部を介して前記認証データを再入力させることを特徴とする請求項５乃至７および３８乃至５２の何れかに記載のジョブ処理方法。
【請求項５４】
記録紙、及び、ステイプル針、トナーの少なくとも何れかを含む複数種類の消耗材のうちの少なくとも何れかの消耗材が印刷装置にて無くなった場合、及び、記録用紙の紙詰まり及びステイプラの針詰まり及び記憶手段のメモリフル及びスキャナユニットによる原稿ジャムの少なくとも何れかを含む前記印刷装置におけるエラー状態が発生した場合、及び、印刷装置により印刷処理中のプリントジョブに対する印刷処理の中断指示がユーザ操作により入力された場合、のうちの、少なくとも何れかの場合に、印刷中断要因の発生として、プリントジョブの印刷処理を中断させる、ことを特徴とする請求項５乃至７および３８乃至５３の何れかに記載のジョブ処理方法。
【請求項５５】
前記ジョブ処理方法は、
印刷中断要因の発生により前記印刷装置による印刷処理が中断されたプリントジョブが前記セキュアプリントジョブである場合において、前記セキュアプリントジョブの印刷処理を開始する前に前記印刷装置にてユーザ操作により入力された認証データが前記印刷中断要因の発生後に前記印刷装置にて再入力されない場合に、当該プリントジョブの印刷処理の再開を禁止し、
印刷中断要因の発生により前記印刷装置による印刷処理が中断されたプリントジョブが前記セキュアプリントジョブである場合において、前記セキュアプリントジョブの印刷処理を開始する前に前記印刷装置にてユーザ操作により入力された認証データが前記印刷中断要因の発生後に前記印刷装置にて再入力された場合に、当該プリントジョブの印刷処理の再開を許可し、
印刷中断要因の発生により前記印刷装置による印刷処理が中断されたプリントジョブが前記非セキュアプリントジョブである場合に、前記印刷中断要因の発生後に前記認証データの入力操作を行うこと無く、当該プリントジョブの印刷処理を再開可能にすることを特徴とする請求項５乃至７および３８乃至５４の何れかに記載のジョブ処理方法。
【請求項５６】
前記ジョブ処理方法は、前記セキュアプリントジョブの印刷処理の再開を禁止している状態において、当該セキュアプリントジョブ以外の他の印刷待ち状態のプリントジョブを前記印刷装置によりプリント可能にすることを特徴とする請求項５５記載のジョブ処理方法。
【請求項５７】
前記ジョブ処理方法は、
前記セキュアプリントジョブの印刷処理を開始する前に前記セキュアプリントジョブの為に前記印刷装置にて入力された認証データが前記印刷処理の中断後に前記印刷装置にて再入力されない場合には、たとえ当該セキュアプリントジョブの印刷中断要因が解除されたとしても、当該セキュアプリントジョブの印刷処理の再開を禁止し、
印刷中断要因の発生により前記印刷装置による印刷処理が中断されたプリントジョブが前記非セキュアプリントジョブである場合には、当該非セキュアプリントジョブの印刷中断要因が解除されたことに応じて、自動的に当該非セキュアプリントジョブの印刷処理を再開可能にすることを特徴とする請求項５乃至７および３８乃至５６のうちの何れかに記載のジョブ処理方法。
【請求項５８】
前記ジョブ処理方法は、
前記セキュアプリントジョブの印刷処理を開始する前に前記セキュアプリントジョブの為に前記印刷装置にて入力操作がなされた認証データが前記印刷中断要因の解除後に前記印刷装置にて再入力されない場合に、当該セキュアプリントジョブの印刷処理の再開を禁止し、且つ、当該セキュアプリントジョブのプリントデータを、記憶手段に保持させることを特徴とする請求項５乃至７および３８乃至５７の何れかに記載のジョブ処理方法。
【請求項５９】
前記ジョブ処理方法は、
前記セキュアプリントジョブの印刷処理を開始する前に前記セキュアプリントジョブの為に前記印刷装置にて入力操作がなされた認証データが前記印刷中断要因の解除後に前記印刷装置にて再入力されない場合に、当該セキュアプリントジョブの印刷処理の再開を禁止し、且つ、当該セキュアプリントジョブ以外の印刷ジョブのプリント処理を実行可能にすることを特徴とする請求項５乃至７および３８乃至５８の何れかに記載のジョブ処理方法。
【請求項６０】
前記ジョブ処理方法は、
前記印刷装置により前記セキュアプリントジョブの受付後のタイミングから前記セキュアプリントジョブの印刷開始前のタイミングまでの期間を含む第１期間、及び、前記セキュアプリントジョブの印刷開始後のタイミングから前記セキュアプリントジョブの印刷中断前のタイミングまでの期間を含む第２期間、及び、前記セキュアプリントジョブの印刷中断後のタイミングから前記セキュアプリントジョブの印刷中断要因解除前のタイミングまでの期間を含む第３期間、及び、前記セキュアプリントジョブの印刷中断要因解除後のタイミングから前記セキュアプリントジョブの印刷処理の再開前のタイミングまでの期間を含む第４期間、及び、前記セキュアプリントジョブの印刷処理が完了した後の第５期間、のうちの、２つ以上の期間において、前記セキュアプリントジョブ以外のプリントジョブを前記印刷装置により受付け可能にすることを特徴とする請求項５乃至７および３８乃至５９の何れかに記載のジョブ処理方法。
【請求項６１】
前記ジョブ処理方法は、
前記第１期間において、前記セキュアプリントジョブの印刷開始を禁止した状態で、当該セキュアプリントジョブ以外の他のプリントジョブを前記印刷装置により印刷可能にすることを特徴とする請求項６０記載のジョブ処理方法。
【請求項６２】
前記ジョブ処理方法は、
前記第３期間において、前記セキュアプリントジョブの印刷再開が禁止された状態で、当該セキュアプリントジョブ以外の他の印刷待ち状態のプリントジョブの印刷処理を開始することを、所定の条件下で許可することを特徴とする請求項６０又は６１記載のジョブ処理方法。
【請求項６３】
前記ジョブ処理方法は、
前記第３期間において、前記セキュアプリントジョブの印刷再開が禁止された状態で、当該セキュアプリントジョブの印刷中断要因に影響のない印刷条件が設定されている他の印刷待ち状態のプリントジョブの印刷処理を開始可能にすることを特徴とする請求項６０乃至６２の何れかに記載のジョブ処理方法。
【請求項６４】
前記ジョブ処理方法は、
前記第４期間において、前記セキュアプリントジョブの印刷再開が禁止された状態で、当該セキュアプリントジョブの印刷中断要因に関係なく、当該セキュアプリントジョブ以外の他の印刷待ち状態のプリントジョブの印刷処理を開始可能にすることを特徴とする請求項６０乃至６３の何れかに記載のジョブ処理方法。
【請求項６５】
前記ジョブ処理方法は、
前記第５期間において、前記セキュアプリントジョブ以外の他の印刷待ち状態のプリントジョブの印刷処理を自動的に開始可能にすることを特徴とする請求項６０乃至６４の何れかに記載のジョブ処理方法。
【請求項６６】
前記印刷装置は、コピー機能及びプリント機能の少なくとも何れかの含む複数の機能のうちの、いずれか１つの機能のみを有する単一機能の印刷装置、及び／又は、複数の機能を有する複合機能の印刷装置を含むことを特徴とする請求項５乃至７および３８乃至６５の何れかに記載のジョブ処理方法。
【請求項６７】
前記印刷装置は、スキャナユニット及びコンピュータを含む、複数のジョブデータ発生源のうちの少なくとも何れかのジョブデータ発生源から前記セキュアプリントジョブと前記非セキュアプリントジョブを受付可能にすることを特徴とする請求項５乃至７および３８乃至６６の何れかに記載のジョブ処理方法。
【請求項６８】
請求項５乃至７および３８乃至６７の何れかに記載のジョブ処理方法をコンピュータに実行させる為のプログラムデータを格納したことを特徴とするコンピュータ読取り可能な記憶媒体。
【請求項６９】
請求項５乃至７および３８乃至６７の何れかに記載のジョブ処理方法をコンピュータに実行させる為のプログラム。
【手続補正２】
【補正対象書類名】明細書
【補正対象項目名】発明の名称
【補正方法】変更
【補正の内容】
【発明の名称】印刷装置、ジョブ処理方法、記憶媒体、プログラム
【手続補正３】
【補正対象書類名】明細書
【補正対象項目名】０００１
【補正方法】変更
【補正の内容】
【０００１】
本発明は、印刷ジョブに基づいた印刷を行う印刷技術に関するものであり、特に、認証処理を行ったうえで印刷を開始させるべき印刷ジョブを取扱可能な印刷装置に適した印刷技術に関する。
【手続補正４】
【補正対象書類名】明細書
【補正対象項目名】００１６
【補正方法】変更
【補正の内容】
【００１６】
即ち、印刷を開始するまえに認証処理が必要なセキュアプリントジョブと、印刷を開始するまえに認証処理を必要としない非セキュアプリントジョブを、受付可能な印刷装置であって、
印刷中断要因の発生により印刷動作が中断されたプリントジョブが、前記非セキュアプリントジョブではなく、前記セキュアプリントジョブである場合に、該ジョブの印刷中断要因が解除されても、該ジョブの印刷動作を前記印刷装置により自動的に再開させることは禁止する制御手段を有することを特徴とする。
【手続補正５】
【補正対象書類名】明細書
【補正対象項目名】００１７
【補正方法】変更
【補正の内容】
【００１７】
本発明の目的を達成するために、例えば本発明の印刷装置は以下の構成を備える。
【手続補正６】
【補正対象書類名】明細書
【補正対象項目名】００１８
【補正方法】変更
【補正の内容】
【００１８】
即ち、印刷を開始するまえに認証処理が必要なセキュアプリントジョブと、印刷を開始するまえに認証処理を必要としない非セキュアプリントジョブを、受付可能な印刷装置であって、
印刷中断要因の発生により印刷動作が中断されたプリントジョブが、前記非セキュアプリントジョブではなく、前記セキュアプリントジョブである場合に、該ジョブの印刷中断要因解除後に該ジョブの為の認証処理がなされたうえで、該ジョブの印刷動作を前記印刷装置により再開させる制御手段を有することを特徴とする。
【手続補正７】
【補正対象書類名】明細書
【補正対象項目名】００２０
【補正方法】変更
【補正の内容】
【００２０】
即ち、印刷を開始するまえに認証処理が必要なセキュアプリントジョブと、印刷を開始するまえに認証処理を必要としない非セキュアプリントジョブを、受付可能な印刷装置であって、
印刷中断要因の発生により印刷動作が中断されたプリントジョブが、前記非セキュアプリントジョブではなく、前記セキュアプリントジョブである場合に、該ジョブの印刷中断要因解除後に該ジョブの為の認証処理がなされたうえで、該ジョブの印刷動作を前記印刷装置により再開可能にするが、印刷中断要因の発生により印刷動作が中断されたプリントジョブが、前記セキュアプリントジョブではなく、前記非セキュアプリントジョブである場合に、該ジョブの印刷中断要因解除に応じて、該ジョブの印刷動作を前記印刷装置により自動的に再開可能にする制御手段を有することを特徴とする。
【手続補正８】
【補正対象書類名】明細書
【補正対象項目名】００２１
【補正方法】変更
【補正の内容】
【００２１】
本発明の目的を達成するために、例えば本発明のジョブ処理方法は以下の構成を備える。
【手続補正９】
【補正対象書類名】明細書
【補正対象項目名】００２２
【補正方法】変更
【補正の内容】
【００２２】
即ち、印刷を開始するまえに認証処理が必要なセキュアプリントジョブと、印刷を開始するまえに認証処理を必要としない非セキュアプリントジョブを、受付可能な印刷装置の為のジョブ処理方法であって、
印刷中断要因の発生により印刷動作が中断されたプリントジョブが、前記非セキュアプリントジョブではなく、前記セキュアプリントジョブである場合に、該ジョブの印刷中断要因が解除されても、該ジョブの印刷動作を前記印刷装置により自動的に再開させることを禁止することを特徴とする。
【手続補正１０】
【補正対象書類名】明細書
【補正対象項目名】００２３
【補正方法】変更
【補正の内容】
【００２３】
本発明の目的を達成するために、例えば本発明のジョブ処理方法は以下の構成を備える。
【手続補正１１】
【補正対象書類名】明細書
【補正対象項目名】００２４
【補正方法】変更
【補正の内容】
【００２４】
即ち、印刷を開始するまえに認証処理が必要なセキュアプリントジョブと、印刷を開始するまえに認証処理を必要としない非セキュアプリントジョブを、受付可能な印刷装置の為のジョブ処理方法であって、
印刷中断要因の発生により印刷動作が中断されたプリントジョブが、前記非セキュアプリントジョブではなく、前記セキュアプリントジョブである場合に、該ジョブの印刷中断要因解除後に該ジョブの為の認証処理がなされたうえで、該ジョブの印刷動作を前記印刷装置により再開させることを特徴とする。
【手続補正１２】
【補正対象書類名】明細書
【補正対象項目名】００２５
【補正方法】変更
【補正の内容】
【００２５】
本発明の目的を達成するために、例えば本発明のジョブ処理方法は以下の構成を備える。
【手続補正１３】
【補正対象書類名】明細書
【補正対象項目名】００２６
【補正方法】変更
【補正の内容】
【００２６】
即ち、印刷を開始するまえに認証処理が必要なセキュアプリントジョブと、印刷を開始するまえに認証処理を必要としない非セキュアプリントジョブを、受付可能な印刷装置の為のジョブ処理方法であって、
印刷中断要因の発生により印刷処理が中断されたプリントジョブが、前記非セキュアプリントジョブではなく、前記セキュアプリントジョブである場合に、該ジョブの印刷中断要因解除後に該ジョブの為の認証処理がなされたうえで、該ジョブの印刷処理を前記印刷装置により再開可能にするが、印刷中断要因の発生により印刷処理が中断されたプリントジョブが、前記セキュアプリントジョブではなく、前記非セキュアプリントジョブである場合に、該ジョブの印刷中断要因解除に応じて、該ジョブの印刷処理を前記印刷装置により自動的に再開可能にすることを特徴とする。
【手続補正１４】
【補正対象書類名】明細書
【補正対象項目名】００２８
【補正方法】変更
【補正の内容】
【００２８】
即ち、印刷を開始する前に認証データの入力が必要なセキュアプリントジョブ及び認証データの入力無しに印刷を開始できる非セキュアプリントジョブを含む複数のプリントジョブを処理可能な印刷装置であって、
印刷中断要因の発生により印刷動作が中断されたプリントジョブが、前記セキュアプリントジョブの場合でも、前記非セキュアプリントジョブの場合でも、印刷中断要因の解除後に前記印刷装置にて印刷動作を再開可能にするが、印刷動作が中断されたプリントジョブが、前記非セキュアプリントジョブではなく、前記セキュアプリントジョブである場合に、該ジョブの印刷中断要因解除に応じて自動的に該ジョブの印刷動作を前記印刷装置により再開させる事は、禁止する制御手段を有することを特徴とする。
【手続補正１５】
【補正対象書類名】明細書
【補正対象項目名】００３０
【補正方法】変更
【補正の内容】
【００３０】
即ち、印刷処理を開始する前に認証処理を必要とするセキュアプリントジョブ及び印刷処理を開始する前に認証処理を必要としない非セキュアプリントジョブを含む複数のプリントジョブを処理可能な印刷装置であって、
印刷中断要因の発生により前記印刷装置による印刷処理が中断されたプリントジョブの印刷動作を前記印刷装置により再開させる場合において、該プリントジョブが、前記非セキュアプリントジョブではなく、前記セキュアプリントジョブである場合に、前記セキュアプリントジョブの印刷処理を開始する前に実行した認証処理を前記印刷中断要因の発生後に再度実行したうえで、当該プリントジョブの印刷処理を前記印刷装置により再開可能にし、一方、印刷中断要因の発生により前記印刷装置による印刷処理が中断されたプリントジョブが、前記セキュアプリントジョブではなく、前記非セキュアプリントジョブである場合に、前記印刷中断要因の発生後に前記認証処理を実行すること無く、当該プリントジョブの印刷処理を前記印刷装置により再開可能にする、制御手段を有することを特徴とする。
【手続補正１６】
【補正対象書類名】明細書
【補正対象項目名】００３２
【補正方法】変更
【補正の内容】
【００３２】
即ち、印刷処理を開始する前に認証処理を必要とするセキュアプリントジョブ及び印刷処理を開始する前に認証処理を必要としない非セキュアプリントジョブを含む複数のプリントジョブを処理可能な印刷装置であって、
印刷中断要因の発生により印刷処理が中断されたプリントジョブが、セキュアプリントジョブであり、且つ、該セキュアプリントジョブの印刷処理を開始する前に実行した認証処理が、該ジョブの印刷中断要因の発生後に前記印刷装置にて再度実行された場合に、前記印刷装置により該プリントジョブの印刷動作を再開する事を許可し、
印刷中断要因の発生により印刷処理が中断されたプリントジョブが、セキュアプリントジョブであり、且つ、該セキュアプリントジョブの印刷処理を開始する前に実行した認証処理が、該ジョブの印刷中断要因の発生後に前記印刷装置にて再度実行されない場合に、前記印刷装置により該プリントジョブの印刷動作を再開する事を禁止するが、
印刷中断要因の発生により印刷処理が中断されたプリントジョブが、前記セキュアプリントジョブではなく、前記非セキュアプリントジョブである場合に、該ジョブの印刷中断要因の発生後に前記認証処理を実行すること無く、前記印刷装置により該プリントジョブの印刷処理を再開可能にする、制御手段を有することを特徴とする。
【手続補正１７】
【補正対象書類名】明細書
【補正対象項目名】００３３
【補正方法】変更
【補正の内容】
【００３３】
本発明の目的を達成するために、例えば本発明の印刷装置は以下の構成を備える。
【手続補正１８】
【補正対象書類名】明細書
【補正対象項目名】００３４
【補正方法】変更
【補正の内容】
【００３４】
即ち、印刷処理を開始する前に認証処理を必要とするセキュアプリントジョブ及び印刷処理を開始する前に認証処理を必要としない非セキュアプリントジョブを含む複数のプリントジョブを処理可能な印刷装置であって、
印刷中断要因の発生により印刷処理が中断されたプリントジョブが、セキュアプリントジョブであり、且つ、該セキュアプリントジョブの印刷処理を開始する前に実行した認証処理が、該ジョブの印刷中断要因の発生後に前記印刷装置にて再度実行された場合に、該プリントジョブの印刷動作を前記印刷装置にて再開させる事を許可し、
印刷中断要因の発生により印刷処理が中断されたプリントジョブが、セキュアプリントジョブであり、且つ、該セキュアプリントジョブの印刷処理を開始する前に実行した認証処理が、該ジョブの印刷中断要因の発生後に前記印刷装置にて再度実行されない場合に、該プリントジョブの印刷動作を前記印刷装置にて再開させる事を禁止するが、
印刷中断要因の発生により印刷処理が中断されたプリントジョブが、前記セキュアプリントジョブではなく、前記非セキュアプリントジョブである場合に、該ジョブの印刷中断要因の発生後に前記認証処理を実行すること無く、該プリントジョブの印刷処理を前記印刷装置により再開可能にする、制御手段を有し、
前記制御手段は、
前記セキュアプリントジョブの印刷中断要因の解除のタイミングから所定期間経過するまでの期間内において、前記セキュアプリントジョブの印刷処理を開始する前に実行した認証処理が前記印刷装置にて再実行されない場合に、前記セキュアプリントジョブの印刷処理の再開を実行しない代わりに、当該セキュアプリントジョブ以外の他の印刷待ち状態のプリントジョブのプリント処理を、自動的に、開始可能にすること特徴とする。
【手続補正１９】
【補正対象書類名】明細書
【補正対象項目名】００３５
【補正方法】変更
【補正の内容】
【００３５】
本発明の目的を達成するために、例えば本発明の印刷装置は以下の構成を備える。
【手続補正２０】
【補正対象書類名】明細書
【補正対象項目名】００３６
【補正方法】変更
【補正の内容】
【００３６】
即ち、印刷処理を開始する前に認証処理を必要とするセキュアプリントジョブ及び印刷処理を開始する前に認証処理を必要としない非セキュアプリントジョブを含む複数のプリントジョブを処理可能な印刷装置であって、
印刷中断要因の発生により印刷処理が中断されたプリントジョブが、セキュアプリントジョブであり、且つ、該セキュアプリントジョブの印刷処理を開始する前に実行した認証処理が、該ジョブの印刷中断要因の発生後に前記印刷装置にて再度実行された場合に、前記印刷装置により該プリントジョブの印刷動作を再開する事を許可し、
印刷中断要因の発生により印刷処理が中断されたプリントジョブが、セキュアプリントジョブであり、且つ、該セキュアプリントジョブの印刷処理を開始する前に実行した認証処理が、該ジョブの印刷中断要因の発生後に前記印刷装置にて再度実行されない場合に、前記印刷装置により該プリントジョブの印刷動作を再開する事を禁止するが、
印刷中断要因の発生により印刷処理が中断されたプリントジョブが、前記セキュアプリントジョブではなく、前記非セキュアプリントジョブである場合に、該ジョブの印刷中断要因の発生後に前記認証処理を実行すること無く、前記印刷装置により該プリントジョブの印刷処理を再開可能にする、制御手段を有し、
前記制御手段は、
前記セキュアプリントジョブの印刷中断要因の解除のタイミングから所定期間経過するまでの期間内において、前記セキュアプリントジョブの印刷処理を開始する前に実行した認証処理が前記印刷装置にて再実行されない場合に、当該セキュアプリントジョブの印刷処理の再開を禁止した状態のままで、当該セキュアプリントジョブのプリントデータを、前記印刷装置の記憶手段に保持可能にすることを特徴とする。
【手続補正２１】
【補正対象書類名】明細書
【補正対象項目名】００３７
【補正方法】変更
【補正の内容】
【００３７】
本発明の目的を達成するために、例えば本発明の印刷装置は以下の構成を備える。
【手続補正２２】
【補正対象書類名】明細書
【補正対象項目名】００３８
【補正方法】変更
【補正の内容】
【００３８】
即ち、印刷処理を開始する前に認証処理を必要とするセキュアプリントジョブ及び印刷処理を開始する前に認証処理を必要としない非セキュアプリントジョブを含む複数のプリントジョブを処理可能な印刷装置であって、
印刷中断要因の発生により印刷処理が中断されたプリントジョブが、セキュアプリントジョブであり、且つ、該セキュアプリントジョブの印刷処理を開始する前に実行した認証処理が、該ジョブの印刷中断要因の発生後に前記印刷装置にて再度実行された場合に、該プリントジョブの印刷動作を前記印刷装置にて再開させる事を許可し、
印刷中断要因の発生により印刷処理が中断されたプリントジョブが、セキュアプリントジョブであり、且つ、該セキュアプリントジョブの印刷処理を開始する前に実行した認証処理が、該ジョブの印刷中断要因の発生後に前記印刷装置にて再度実行されない場合に、該プリントジョブの印刷動作を前記印刷装置にて再開させる事を禁止するが、
印刷中断要因の発生により印刷処理が中断されたプリントジョブが、前記セキュアプリントジョブではなく、前記非セキュアプリントジョブである場合に、該ジョブの印刷中断要因の発生後に前記認証処理を実行すること無く、該プリントジョブの印刷処理を前記印刷装置により再開可能にする、制御手段を有し、
前記制御手段は、
前記セキュアプリントジョブの印刷処理を開始する前に実行した認証処理が前記セキュアプリントジョブの印刷中断要因の解除後に前記印刷装置にて再実行されない場合に、前記セキュアプリントジョブの印刷処理の再開を禁止するが、前記印刷装置の操作部からのユーザの指示に基づいて、当該セキュアプリントジョブ以外の他の印刷待ち状態の印刷ジョブのプリント処理を開始可能にすることを特徴とする。
【手続補正２３】
【補正対象書類名】明細書
【補正対象項目名】００３９
【補正方法】変更
【補正の内容】
【００３９】
本発明の目的を達成するために、例えば本発明の印刷装置は以下の構成を備える。
【手続補正２４】
【補正対象書類名】明細書
【補正対象項目名】００４０
【補正方法】変更
【補正の内容】
【００４０】
即ち、印刷処理を開始する前に認証処理を必要とするセキュアプリントジョブ及び印刷処理を開始する前に認証処理を必要としない非セキュアプリントジョブを含む複数のプリントジョブを処理可能な印刷装置であって、
印刷中断要因の発生により印刷処理が中断されたプリントジョブが、セキュアプリントジョブであり、且つ、該セキュアプリントジョブの印刷処理を開始する前に実行した認証処理が、該ジョブの印刷中断要因の発生後に前記印刷装置にて再度実行された場合に、該プリントジョブの印刷動作を前記印刷装置にて再開させる事を許可し、
印刷中断要因の発生により印刷処理が中断されたプリントジョブが、セキュアプリントジョブであり、且つ、該セキュアプリントジョブの印刷処理を開始する前に実行した認証処理が、該ジョブの印刷中断要因の発生後に前記印刷装置にて再度実行されない場合に、該プリントジョブの印刷動作を前記印刷装置にて再開させる事を禁止するが、
印刷中断要因の発生により前記印刷装置による印刷処理が中断されたプリントジョブが、前記セキュアプリントジョブではなく、前記非セキュアプリントジョブである場合に、該ジョブの印刷中断要因の発生後に前記認証処理を実行すること無く、該プリントジョブの印刷処理を前記印刷装置により再開可能にする、制御手段を有し、
前記制御手段は、
前記セキュアプリントジョブの印刷処理を開始する前に実行した認証処理が前記セキュアプリントジョブの印刷中断要因の解除後に前記印刷装置にて再実行されない場合に、前記印刷装置の操作部からのユーザの指示に基づいて、当該セキュアプリントジョブの印刷再開を禁止した状態のままで、当該セキュアプリントジョブのプリントデータを、前記印刷装置の記憶手段に保持可能にすることを特徴とする。
【手続補正２５】
【補正対象書類名】明細書
【補正対象項目名】００４２
【補正方法】変更
【補正の内容】
【００４２】
即ち、印刷を開始する前に認証データの入力が必要なセキュアプリントジョブ及び認証データの入力無しに印刷を開始できる非セキュアプリントジョブを含む複数のプリントジョブを処理可能な印刷装置に適したジョブ処理方法であって、
印刷中断要因の発生により印刷動作が中断されたプリントジョブが、前記セキュアプリントジョブの場合でも、前記非セキュアプリントジョブの場合でも、印刷中断要因の解除後に前記印刷装置にて印刷動作を再開可能にするが、印刷動作が中断されたプリントジョブが、前記非セキュアプリントジョブではなく、前記セキュアプリントジョブである場合に、該ジョブの印刷中断要因解除に応じて自動的に該ジョブの印刷動作を前記印刷装置により再開させる事は、禁止することを特徴とする。
【手続補正２６】
【補正対象書類名】明細書
【補正対象項目名】００４４
【補正方法】変更
【補正の内容】
【００４４】
即ち、印刷処理を開始する前に認証処理を必要とするセキュアプリントジョブ及び印刷処理を開始する前に認証処理を必要としない非セキュアプリントジョブを含む複数のプリントジョブを処理可能な印刷装置に適したジョブ処理方法であって、
印刷中断要因の発生により印刷処理が中断されたプリントジョブの印刷動作を前記印刷装置により再開させる場合において、該プリントジョブが、前記非セキュアプリントジョブではなく、前記セキュアプリントジョブである場合に、前記セキュアプリントジョブの印刷処理を開始する前に実行した認証処理を前記印刷中断要因の発生後に再度実行したうえで、当該プリントジョブの印刷処理を前記印刷装置により再開可能にし、一方、印刷中断要因の発生により印刷処理が中断されたプリントジョブが、前記セキュアプリントジョブではなく、前記非セキュアプリントジョブである場合に、前記印刷中断要因の発生後に前記認証処理を実行すること無く、当該プリントジョブの印刷処理を前記印刷装置により再開可能にすることを特徴とする。
【手続補正２７】
【補正対象書類名】明細書
【補正対象項目名】００４６
【補正方法】変更
【補正の内容】
【００４６】
即ち、印刷処理を開始する前に認証処理を必要とするセキュアプリントジョブ及び印刷処理を開始する前に認証処理を必要としない非セキュアプリントジョブを含む複数のプリントジョブを処理可能な印刷装置に適したジョブ処理方法であって、
印刷中断要因の発生により印刷処理が中断されたプリントジョブがセキュアプリントジョブであり、且つ、該セキュアプリントジョブの印刷処理を開始する前に実行した認証処理が該ジョブの印刷中断要因の発生後に前記印刷装置にて再度実行された場合に、前記印刷装置により該プリントジョブの印刷動作を再開する事を許可し、
印刷中断要因の発生により印刷処理が中断されたプリントジョブがセキュアプリントジョブであり、且つ、該セキュアプリントジョブの印刷処理を開始する前に実行した認証処理が該ジョブの印刷中断要因の発生後に前記印刷装置にて再度実行されない場合に、前記印刷装置により該プリントジョブの印刷動作を再開する事を禁止するが、
印刷中断要因の発生により印刷処理が中断されたプリントジョブが、前記セキュアプリントジョブではなく、前記非セキュアプリントジョブである場合に、該ジョブの印刷中断要因の発生後に前記認証処理を実行すること無く、前記印刷装置により該プリントジョブの印刷処理を再開可能にする、ことを特徴とする。
本発明の目的を達成するために、例えば本発明のジョブ処理方法は以下の構成を備える。
即ち、印刷処理を開始する前に認証処理を必要とするセキュアプリントジョブ及び印刷処理を開始する前に認証処理を必要としない非セキュアプリントジョブを含む複数のプリントジョブを処理可能な印刷装置に適したジョブ処理方法であって、
印刷中断要因の発生により印刷処理が中断されたプリントジョブがセキュアプリントジョブであり、且つ、該セキュアプリントジョブの印刷処理を開始する前に実行した認証処理が該ジョブの印刷中断要因の発生後に前記印刷装置にて再度実行された場合に、該プリントジョブの印刷動作を前記印刷装置にて再開させる事を許可し、
印刷中断要因の発生により印刷処理が中断されたプリントジョブがセキュアプリントジョブであり、且つ、該セキュアプリントジョブの印刷処理を開始する前に実行した認証処理が該ジョブの印刷中断要因の発生後に前記印刷装置にて再度実行されない場合に、該プリントジョブの印刷動作を前記印刷装置にて再開させる事を禁止するが、
印刷中断要因の発生により印刷処理が中断されたプリントジョブが、前記セキュアプリントジョブではなく、前記非セキュアプリントジョブである場合に、該ジョブの印刷中断要因の発生後に前記認証処理を実行すること無く、該プリントジョブの印刷処理を前記印刷装置により再開可能にし、
前記セキュアプリントジョブの印刷中断要因の解除のタイミングから所定期間経過するまでの期間内において、前記セキュアプリントジョブの印刷処理を開始する前に実行した認証処理が前記印刷装置にて再実行されない場合に、前記セキュアプリントジョブの印刷処理の再開を実行しない代わりに、当該セキュアプリントジョブ以外の他の印刷待ち状態のプリントジョブのプリント処理を、自動的に、開始可能にする、こと特徴とする。
本発明の目的を達成するために、例えば本発明のジョブ処理方法は以下の構成を備える。
即ち、印刷処理を開始する前に認証処理を必要とするセキュアプリントジョブ及び印刷処理を開始する前に認証処理を必要としない非セキュアプリントジョブを含む複数のプリントジョブを処理可能な印刷装置に適したジョブ処理方法であって、
印刷中断要因の発生により印刷処理が中断されたプリントジョブがセキュアプリントジョブであり、且つ、該セキュアプリントジョブの印刷処理を開始する前に実行した認証処理が該ジョブの印刷中断要因の発生後に前記印刷装置にて再度実行された場合に、前記印刷装置により該プリントジョブの印刷動作を再開する事を許可し、
印刷中断要因の発生により印刷処理が中断されたプリントジョブがセキュアプリントジョブであり、且つ、該セキュアプリントジョブの印刷処理を開始する前に実行した認証処理が該ジョブの印刷中断要因の発生後に前記印刷装置にて再度実行されない場合に、前記印刷装置により該プリントジョブの印刷動作を再開する事を禁止するが、
印刷中断要因の発生により印刷処理が中断されたプリントジョブが、前記セキュアプリントジョブではなく、前記非セキュアプリントジョブである場合に、該ジョブの印刷中断要因の発生後に前記認証処理を実行すること無く、前記印刷装置により該プリントジョブの印刷処理を再開可能にし、
前記セキュアプリントジョブの印刷中断要因の解除のタイミングから所定期間経過するまでの期間内において、前記セキュアプリントジョブの印刷処理を開始する前に実行した認証処理が前記印刷装置にて再実行されない場合に、当該セキュアプリントジョブの印刷処理の再開を禁止した状態のままで、当該セキュアプリントジョブのプリントデータを、前記印刷装置の記憶手段に保持可能にする、ことを特徴とする。
本発明の目的を達成するために、例えば本発明のジョブ処理方法は以下の構成を備える。
即ち、印刷処理を開始する前に認証処理を必要とするセキュアプリントジョブ及び印刷処理を開始する前に認証処理を必要としない非セキュアプリントジョブを含む複数のプリントジョブを処理可能な印刷装置に適したジョブ処理方法あって、
印刷中断要因の発生により印刷処理が中断されたプリントジョブがセキュアプリントジョブであり、且つ、該セキュアプリントジョブの印刷処理を開始する前に実行した認証処理が該ジョブの印刷中断要因の発生後に前記印刷装置にて再度実行された場合に、該プリントジョブの印刷動作を前記印刷装置にて再開させる事を許可し、
印刷中断要因の発生により印刷処理が中断されたプリントジョブがセキュアプリントジョブであり、且つ、該セキュアプリントジョブの印刷処理を開始する前に実行した認証処理が該ジョブの印刷中断要因の発生後に前記印刷装置にて再度実行されない場合に、該プリントジョブの印刷動作を前記印刷装置にて再開させる事を禁止するが、
印刷中断要因の発生により印刷処理が中断されたプリントジョブが、前記セキュアプリントジョブではなく、前記非セキュアプリントジョブである場合に、該ジョブの印刷中断要因の発生後に前記認証処理を実行すること無く、該プリントジョブの印刷処理を前記印刷装置により再開可能にし、
前記セキュアプリントジョブの印刷処理を開始する前に実行した認証処理が前記セキュアプリントジョブの印刷中断要因の解除後に前記印刷装置にて再実行されない場合に、前記セキュアプリントジョブの印刷処理の再開を禁止するが、前記印刷装置の操作部からのユーザの指示に基づいて、当該セキュアプリントジョブ以外の他の印刷待ち状態の印刷ジョブのプリント処理を開始可能にすることを特徴とする。
本発明の目的を達成するために、例えば本発明のジョブ処理方法は以下の構成を備える。
即ち、印刷処理を開始する前に認証処理を必要とするセキュアプリントジョブ及び印刷処理を開始する前に認証処理を必要としない非セキュアプリントジョブを含む複数のプリントジョブを処理可能な印刷装置に適したジョブ処理方法であって、
印刷中断要因の発生により印刷処理が中断されたプリントジョブがセキュアプリントジョブであり、且つ、該セキュアプリントジョブの印刷処理を開始する前に実行した認証処理が該ジョブの印刷中断要因の発生後に前記印刷装置にて再度実行された場合に、該プリントジョブの印刷動作を前記印刷装置にて再開させる事を許可し、
印刷中断要因の発生により印刷処理が中断されたプリントジョブがセキュアプリントジョブであり、且つ、該セキュアプリントジョブの印刷処理を開始する前に実行した認証処理が該ジョブの印刷中断要因の発生後に前記印刷装置にて再度実行されない場合に、該プリントジョブの印刷動作を前記印刷装置にて再開させる事を禁止するが、
印刷中断要因の発生により印刷処理が中断されたプリントジョブが、前記セキュアプリントジョブではなく、前記非セキュアプリントジョブである場合に、該ジョブの印刷中断要因の発生後に前記認証処理を実行すること無く、該プリントジョブの印刷処理を前記印刷装置により再開可能にし、
前記セキュアプリントジョブの印刷処理を開始する前に実行した認証処理が前記セキュアプリントジョブの印刷中断要因の解除後に前記印刷装置にて再実行されない場合に、前記印刷装置の操作部からのユーザの指示に基づいて、当該セキュアプリントジョブの印刷再開を禁止した状態のままで、当該セキュアプリントジョブのプリントデータを、前記印刷装置の記憶手段に保持可能にすることを特徴とする。